(57)【要約】  【課題】大入賞口への遊技球の入賞を実質見込めない大当り突確開閉パターンとこの大当り突確開閉パターンの一部又は全部と同等の他の開閉パターンの各々の実行中に、演出を行って面白味を高め遊技性を高めることができる、パチンコ遊技機を提供する。  【解決手段】大入賞口１３ａへの遊技球の入賞を実質見込めない大当り突確開閉パターンとこの大当り突確開閉パターンの一部又は全部と同等の他の開閉パターンの各々の実行中に、画像表示器１６を有する演出手段３６を介して予告演出を実行して実行中の開閉パターンに対応する演出結果を出力する。【選択図】  図４
2010142332.tif 000002
【特許請求の範囲】
【請求項１】
遊技盤に設けられた始動入賞口と、遊技盤に設けられた大入賞口を開閉する大入賞口装置と、始動入賞口への遊技球の入賞を契機に行われる大当り抽選で当選した場合に、大当り遊技として大入賞口を複数ラウンドに亙って開閉させるように大入賞口装置を制御するとともに、更に確変抽選で当選した場合には大当り抽選の当選確率を通常の低確率よりも高確率に設定するメイン制御装置とを備えたパチンコ遊技機において、
前記メイン制御装置は、
前記大入賞口を一律複数ラウンドに亙って開閉する複数種類の大当り開閉パターンであって、大入賞口への遊技球の入賞を実質見込めない大当り突確開閉パターンを含む複数種類の大当り開閉パターンを記憶した大当り開閉パターン記憶手段と、
前記大当り抽選で当選した場合に、大入賞口装置に実行させる大当り開閉パターンを、大当り開閉パターン記憶手段の中から択一的に選択するとともに、確変抽選で当選した場合には大当り突確開閉パターンを選択可能な大当り開閉パターン選択手段とを備え、
前記メイン制御装置は、始動入賞口への遊技球の入賞を契機に行われる小当り抽選で当選した場合に、大当り突確開閉パターンの一部又は全部の開閉パターンと同等の小当り開閉パターンで大入賞口を開閉させるように大入賞口装置を制御し、
前記遊技盤に設けられた画像表示器を有する演出手段と、
前記大入賞口装置が大当り突確開閉パターンと小当り開閉パターンの各々を実行中に、演出手段を介して所定の予告演出を実行させ、実行中の開閉パターンに対応する演出結果を出力するように演出手段を制御する演出制御装置と、
を備えたことを特徴とするパチンコ遊技機。
【請求項２】
遊技者が操作可能な操作ボタンを備え、
前記演出制御装置は、操作ボタンから受ける操作信号に基づいて、前記予告演出の内容の一部を変更可能に構成したことを特徴とする請求項１に記載のパチンコ遊技機。
【請求項３】
前記メイン制御装置は、前記大入賞口の開閉数が異なる複数種類の小当り開閉パターンを記憶した小当り開閉パターン記憶手段と、前記小当り抽選で当選した場合に、大入賞口装置に実行させる小当り開閉パターンを小当り開閉パターン記憶手段の中から択一的に選択する小当り開閉パターン選択手段とを備え、
前記演出制御装置は、大入賞口装置が小当り開閉パターンを実行中に、その小当り開閉パターンの開閉数に応じた予告演出を実行させることを特徴とする請求項１又は２に記載のパチンコ遊技機。
【請求項４】
前記演出制御装置は、大入賞口装置が大当り突確開閉パターンを実行中に、その大当り突確開閉パターンの最終ラウンドで演出結果を出力し、大入賞口装置が小当り開閉パターンを実行中に、その小当り開閉パターンの最終開放時に演出結果を出力することを特徴とする請求項１〜３の何れかに記載のパチンコ遊技機。
【請求項５】
前記演出制御装置は、前記予告演出として勝敗又は優劣が決まるゲームを実行させ、前記演出結果として実行中の開閉パターンに対応する当りの種類又はそれを示唆するゲーム結果を出力することを特徴とする請求項１〜４の何れかに記載のパチンコ遊技機。
【請求項６】
遊技盤に設けられた始動入賞口と、遊技盤に設けられた大入賞口を開閉する大入賞口装置と、始動入賞口への遊技球の入賞を契機に行われる大当り抽選で当選した場合に、大当り遊技として大入賞口を複数ラウンドに亙って開閉させるように大入賞口装置を制御するとともに、更に確変抽選で当選した場合には大当り抽選の当選確率を通常の低確率よりも高確率に設定するメイン制御装置とを備えたパチンコ遊技機において、
前記メイン制御装置は、
前記大入賞口を一律複数ラウンドに亙って開閉する複数種類の大当り開閉パターンであって、大入賞口への遊技球の入賞を実質見込めない大当り突確開閉パターン及び大当り突通開閉パターンを含む複数種類の大当り開閉パターンを記憶した大当り開閉パターン記憶手段と、
前記大当り抽選で当選した場合に、大入賞口装置に実行させる大当り開閉パターンを、大当り開閉パターン記憶手段の中から択一的に選択するとともに、確変抽選で当選した場合には大当り突確開閉パターンを選択可能で確変抽選で落選した場合には大当り突通開閉パターンを選択可能な大当り開閉パターン選択手段とを備え、
前記遊技盤に設けられた画像表示器を有する演出手段と、
前記大入賞口装置が大当り突確開閉パターンと大当り突通開閉パターンの各々を実行中に、演出手段を介して所定の予告演出を実行させ、実行中の開閉パターンに対応する演出結果を出力するように演出手段を制御する演出制御装置と、
を備えたことを特徴とするパチンコ遊技機。
【発明の詳細な説明】
【技術分野】
【０００１】
本発明はパチンコ遊技機に関し、特に、大入賞口を開閉する開閉パターンとして、大当り抽選で当選した場合には、一律複数ラウンドの複数種類の大当り開閉パターンの中の何れかを択一的に選択実行し、更に、大入賞口への遊技球の入賞を実質見込めない大当り突確開閉パターンとこの大当り突確開閉パターンの一部又は全部と同等の他の開閉パターンの各々の実行中には演出手段を介して予告演出を実行するものである。
【背景技術】
【０００２】
従来、主流のパチンコ遊技機では、始動入賞口への遊技球の入賞を契機に大当り抽選が行われ、その大当り抽選で当選した場合に、大当り遊技として、大入賞口装置が作動して、通常は閉塞の大入賞口が複数ラウンド（例えば、１５Ｒ）に亙って開閉される。各ラウンドは大入賞口を開放した後に大入賞口への規定数（例えば、１０個）の遊技球の入賞又は規定時間（例えば、約３０秒）の経過により大入賞口を閉塞して終了する。
【０００３】
このように、大入賞口を複数ラウンドに亙って開閉する大当り開閉パターンにおいて、基本的な機種では、その大当りラウンド数（前記複数ラウンド）が一律（１５Ｒ等）に設定され、各ラウンドの規定時間が、遊技球を通常に連続発射した場合に当該ラウンド実行中に規定数の遊技球が大入賞口に入賞可能な時間（約３０秒等）に設定されている。
【０００４】
更に、大当り抽選で当選した場合に確変抽選が行われ、この確変抽選で当選した場合に、大当り抽選の当選確率が通常の低確率よりも高確率に設定されるとともに、前記のように大当りラウンド数が１５Ｒ等で大入賞口への多数の遊技球の入賞を見込める大当り基本開閉パターンと、大当りラウンド数が２Ｒで大入賞口への遊技球の入賞を実質見込めない大当り突確開閉パターン（各ラウンドの規定時間が、例えば、約０．１秒）の何れかが選択実行される機種が存在する。
【０００５】
この種のパチンコ遊技機において、始動入賞口への遊技球の入賞を契機に小当り抽選が行われ、その小当り抽選で当選した場合に、大当り遊技とは異種の小当り遊技として、大入賞口装置が作動して、通常は閉塞の大入賞口が２回短時間開放される機種が存在する。この２回の短時間開放を含む小当り開閉パターンは、２Ｒの大当り突確開閉パターンのダミー的な存在となり、この何れかの開閉パターンが実行された場合に、それが大当りに基づくものか或いは小当りに基づくものか、つまり、大当り抽選（確変抽選）に当選したか否かを遊技者に判別されにくくすることで、そのダミー的な存在の有効性が増す。
【０００６】
ここで、特許文献１には、大当り遊技中に画像表示器を用いてゲームを行い、そのゲーム結果に応じて、大当り遊技後に行われる所謂時短遊技状態の終了条件を変更する技術が開示されている。
【特許文献１】特許第２９５０２０５号公報
【発明の開示】
【発明が解決しようとする課題】
【０００７】
従来のパチンコ遊技機では、大当り抽選の結果を表示する迄に、特に大当り抽選で当選した場合には大当り遊技の開始迄に、その大当り抽選に関する演出（大当り抽選演出）を主に画像表示器を用いて行うことで、遊技性を高めるようにしている。つまり、前記基本的な機種のように、大入賞口が開閉することで、大当り抽選で当選したことが確定し、大入賞口を複数ラウンドに亙って開閉する大当り開閉パターンにおいて、その大当りラウンド数が一律（１５Ｒ等）に設定され、各ラウンドの規定時間も一律（約３０秒等）に設定された機種では、大当り抽選の結果を表示する迄の大当り抽選演出が遊技の面白味を高めることになるが、その大当り抽選演出が大入賞口の開閉と共に行われても、そこで遊技の面白味を高める役割を果たすものにならない。
【０００８】
一方、大当り抽選で当選して確変抽選で当選した場合、大入賞口への多数の遊技球の入賞を見込める１５Ｒ等の大当り基本開放パターンと大入賞口への遊技球の入賞を実質見込めない２Ｒの大当り突確開放パターンの何れかを選択実行するとともに、小当り抽選で当選した場合、大当り突確開放パターンと同等の小当り開閉パターンを実行する機種では、大当り突確開放パターンと小当り開閉パターンの何れかが実行された場合に、それが大当りに基づくものか或いは小当りに基づくものか、つまり、大当り抽選（確変抽選）に当選したか否かを遊技者に判別されにくくすることで、遊技性を高めることができる。
【０００９】
しかし、大当りラウンド数が一律でない（例えば、２Ｒと１５Ｒ）機種では、大当り抽選で当選した場合、規則により実行する開閉パターンの大当りラウンド数をＬＥＤ等で表示する必要がある。故に、大当り突確開放パターンと小当り開閉パターンの何れかが実行された場合に、遊技者が、大当りラウンド数の表示有無を確認することで、大当り抽選（確変抽選）に当選したか否かを判別することができるため、大当り抽選演出を大入賞口の開閉と共に行ったとしても、遊技性を高めることが難しくなる。
【００１０】
そこで、本願出願人は、大当り抽選で当選した場合に、大当りラウンド数が一律で且つ規定時間が異なる複数種類の開閉パターンの何れかを選択実行するするようにした機種を実用化しつつある。これにより、大当りラウンド数の表示を省略することができるが、これだけでは、大当り抽選演出を大入賞口の開閉と共に行って、面白味を高め遊技性を高めるように構成することは難しい。
【００１１】
本発明の目的は、大入賞口を開閉して実行する開閉パターンとして、大当り抽選で当選した場合には、一律複数ラウンドの複数種類の大当り開閉パターンの中から択一的に選択し、更に、大入賞口への遊技球の入賞を実質見込めない大当り突確開閉パターンとこの大当り突確開閉パターンの一部又は全部と同等の他の開閉パターンの各々の実行中には、画像表示器を有する演出手段を介して予告演出を実行して実行中の開閉パターンに対応する演出結果を出力することにより、大当り抽選演出を大入賞口の開閉と共に行って、面白味を高め遊技性を高めることができる、パチンコ遊技機を提供することである。
【課題を解決するための手段】
【００１２】
本発明のパチンコ遊技機(1) は、遊技盤(4) に設けられた始動入賞口(11a,11b) と、遊技盤(4) に設けられた大入賞口(13a) を開閉する大入賞口装置(13)と、始動入賞口(11a,11b) への遊技球の入賞を契機に行われる大当り抽選で当選した場合に、大当り遊技として大入賞口(13a) を複数ラウンドに亙って開閉させるように大入賞口装置(13)を制御するとともに、更に確変抽選で当選した場合には大当り抽選の当選確率を通常の低確率よりも高確率に設定するメイン制御装置(21)とを備えたものである。
【００１３】
請求項１の発明は、前記メイン制御装置(21)は、前記大入賞口(13a) を一律複数ラウンドに亙って開閉する複数種類の大当り開閉パターン(A1,A2) であって、大入賞口(13a) への遊技球の入賞を実質見込めない大当り突確開閉パターン(A2)を含む複数種類の大当り開閉パターン(A1,A2) を記憶した大当り開閉パターン記憶手段(21b) と、前記大当り抽選で当選した場合に、大入賞口装置(13)に実行させる大当り開閉パターンを、大当り開閉パターン記憶手段(21b) の中から択一的に選択するとともに、確変抽選で当選した場合には大当り突確開閉パターン(A2)を選択可能な大当り開閉パターン選択手段(21c) とを備え、前記メイン制御装置(21)は、始動入賞口(11a,11b) への遊技球の入賞を契機に行われる小当り抽選で当選した場合に、大当り突確開閉パターン(A2)の一部又は全部の開閉パターンと同等の小当り開閉パターン(B1,B2,B3)で大入賞口(13a) を開閉させるように大入賞口装置(13)を制御し、前記遊技盤(4) に設けられた画像表示器(16)を有する演出手段(36)と、前記大入賞口装置(13)が大当り突確開閉パターン(A2)と小当り開閉パターン(B1,B2,B3)の各々を実行中に、演出手段(36)を介して所定の予告演出を実行させ、実行中の開閉パターンに対応する演出結果を出力するように演出手段(36)を制御する演出制御装置(35)とを備えたことを特徴とする。
【００１４】
請求項２の発明は、請求項１の発明において、遊技者が操作可能な操作ボタン(31)を備え、前記演出制御装置(35)は、操作ボタン(31)から受ける操作信号に基づいて、前記予告演出の内容の一部を変更可能に構成したことを特徴とする。
【００１５】
請求項３の発明は、請求項１又は２の発明において、前記メイン制御装置(21)は、前記大入賞口(13a) の開閉数が異なる複数種類の小当り開閉パターン(B1,B2,B3)を記憶した小当り開閉パターン記憶手段(21g) と、前記小当り抽選で当選した場合に、大入賞口装置(13)に実行させる小当り開閉パターンを小当り開閉パターン記憶手段(21g) の中から択一的に選択する小当り開閉パターン選択手段(21h) とを備え、前記演出制御装置(35)は、大入賞口装置(13)が小当り開閉パターン(B1,B2,B3)を実行中に、その小当り開閉パターン(B1,B2,B3)の開閉数に応じた予告演出を実行させることを特徴とする。
【００１６】
請求項４の発明は、請求項１〜３の何れかの発明において、前記演出制御装置(35)は、大入賞口装置(13)が大当り突確開閉パターン(A2)を実行中に、その大当り突確開閉パターン(A2)の最終ラウンドで演出結果を出力し、大入賞口装置(13)が小当り開閉パターン(B1,B2,B3)を実行中に、その小当り開閉パターン(B1,B2,B3)の最終開放時に演出結果を出力することを特徴とする。
【００１７】
請求項５の発明は、請求項１〜４の何れかの発明において、前記演出制御装置(35)は、前記予告演出として勝敗又は優劣が決まるゲームを実行させ、前記演出結果として実行中の開閉パターンに対応する当りの種類又はそれを示唆するゲーム結果を出力することを特徴とする。
【００１８】
尚、請求項１〜５の何れかの発明において、前記大当り開閉パターン(A1,A2) の各ラウンドは、大入賞口(13a) への規定数の遊技球の入賞又は規定時間の経過により終了するように構成され、前記一律複数ラウンドが１０ラウンド以上に設定され、前記大当り突確開閉パターン(A2)の各ラウンドの規定時間が０．２秒以下に設定されてもよい。
【００１９】
請求項６の発明は、前記メイン制御装置(21)は、前記大入賞口(13)を一律複数ラウンドに亙って開閉する複数種類の大当り開閉パターン(A1,A2,A3)であって、大入賞口(13a) への遊技球の入賞を実質見込めない大当り突確開閉パターン(A2)及び大当り突通開閉パターン(A3)を含む複数種類の大当り開閉パターン(A1,A2,A3)を記憶した大当り開閉パターン記憶手段(21b) と、前記大当り抽選で当選した場合に、大入賞口装置(13)に実行させる大当り開閉パターンを、大当り開閉パターン記憶手段(21b) の中から択一的に選択するとともに、確変抽選で当選した場合には大当り突確開閉パターン(A2)を選択可能で確変抽選で落選した場合には大当り突通開閉パターン(A3)を選択可能な大当り開閉パターン選択手段(21c) とを備え、前記遊技盤(4) に設けられた画像表示器(16)を有する演出手段(36)と、前記大入賞口装置(13)が大当り突確開閉パターン(A2)と大当り突通開閉パターン(A3)の各々を実行中に、演出手段(36)を介して所定の予告演出を実行させ、実行中の開閉パターンに対応する演出結果を出力するように演出手段(36)を制御する演出制御装置(35)とを備えたことを特徴とする。
【発明の効果】
【００２０】
請求項１のパチンコ遊技機によれば、メイン制御装置が、大当り抽選で当選した場合に、大当り遊技として大入賞口を複数ラウンドに亙って開閉させるように大入賞口装置を制御するとともに、大入賞口を一律複数ラウンドに亙って開閉する複数種類の大当り開閉パターンであって、大入賞口への遊技球の入賞を実質見込めない大当り突確開閉パターンを含む複数種類の大当り開閉パターンを記憶した大当り開閉パターン記憶手段と、大当り抽選で当選した場合に、大入賞口装置に実行させる大当り開閉パターンを、大当り開閉パターン記憶手段の中から択一的に選択するとともに、確変抽選で当選した場合には大当り突確開閉パターンを選択可能な大当り開閉パターン選択手段とを備えたので、大当り抽選で当選した場合、一律複数ラウンドに亙って開閉する大当り開閉パターンが実行されるので、その大当りラウンド数をＬＥＤ等で表示する必要がなくなる。
【００２１】
そして、メイン制御装置は、小当り抽選で当選した場合に、大当り突確開閉パターンの一部又は全部の開閉パターンと同等の小当り開閉パターンで大入賞口を開閉させるように大入賞口装置を制御するので、大当り突確開放パターンと小当り開閉パターンの何れかが実行された場合に、その実行当初から、それが大当りに基づくものか或いは小当りに基づくものか、つまり、大当り抽選（確変抽選）に当選したか否かを、遊技者が開放パターンを見て判別しにくくなる。そこで、演出制御装置が、大入賞口装置が大当り突確開閉パターンと小当り開閉パターンの各々を実行中に、画像表示器を有する演出手段を介して所定の予告演出を実行させ、実行中の開閉パターンに対応する演出結果を出力するように演出手段を制御するので、大当り抽選に関する演出（例えば、当りの種類を示唆する大当り抽選演出）を大入賞口の開閉と共に行って、面白味を高め遊技性を高めることができる。
【００２２】
請求項２のパチンコ遊技機によれば、遊技者が操作可能な操作ボタンを備え、演出制御装置は、操作ボタンから受ける操作信号に基づいて、予告演出の内容の一部を変更可能に構成したので、遊技者が予告演出の実行中に操作ボタンを操作して、その予告演出の一部を変更することができるので、遊技者の遊技参加感を高めることができる。
【００２３】
請求項３のパチンコ遊技機によれば、メイン制御装置は、大入賞口の開閉数が異なる複数種類の小当り開閉パターンを記憶した小当り開閉パターン記憶手段と、小当り抽選で当選した場合に、大入賞口装置に実行させる小当り開閉パターンを小当り開閉パターン記憶手段の中から択一的に選択する小当り開閉パターン選択手段とを備え、演出制御装置は、大入賞口装置が小当り開閉パターンを実行中に、その小当り開閉パターンの開閉数に応じた予告演出を実行させるので、小当り遊技として大入賞口の多様な開閉パターンを実現するとともに、大当り突確開閉パターンと小当り開閉パターンの各々の実行中に、多様な予告演出を実現することができる。
【００２４】
請求項４のパチンコ遊技機によれば、演出制御装置は、大入賞口装置が大当り突確開閉パターンを実行中に、その大当り突確開閉パターンの最終ラウンドで演出結果を出力し、大入賞口装置が小当り開閉パターンを実行中に、その小当り開閉パターンの最終開放時に演出結果を出力するので、予告演出の演出効果を十分に高め、予告演出の終了近くで演出結果を出力して、演出結果の報知効果も十分に高めることができる。
【００２５】
請求項５のパチンコ遊技機によれば、演出制御装置は、予告演出として勝敗又は優劣が決まるゲームを実行させ、演出結果として実行中の開閉パターンに対応する当りの種類又はそれを示唆するゲーム結果を出力するので、遊技者の興趣を高めることができる。
【００２６】
尚、大当り開閉パターンの各ラウンドは、大入賞口への規定数の遊技球の入賞又は規定時間の経過により終了するように構成され、一律複数ラウンドが１０ラウンド以上に設定され、大当り突確開閉パターンの各ラウンドの規定時間が０．２秒以下に設定された場合、大当り突確開閉パターン以外の大当り開閉パターンが実行された場合の出球を多く確保し、大当り突確開閉パターン、小当り開閉パターンが実行され場合の予告演出を大入賞口の開閉と共に長く行うことができる。
【００２７】
請求項６のパチンコ遊技機によれば、基本的に、請求項１の小当り開閉パターンを大当り突通開閉パターンに代えて、請求項１と同等の効果を奏する。
【発明を実施するための最良の形態】
【００２８】
本発明のパチンコ遊技機は、遊技盤に設けられた始動入賞口と、遊技盤に設けられた大入賞口を開閉する大入賞口装置と、始動入賞口への遊技球の入賞を契機に行われる大当り抽選で当選した場合に、大当り遊技として大入賞口を複数ラウンドに亙って開閉させるように大入賞口装置を制御するとともに、更に確変抽選で当選した場合には大当り抽選の当選確率を通常の低確率よりも高確率に設定するメイン制御装置とを備えたパチンコ遊技機に適用されるものである。
【実施例１】
【００２９】
図１、図２に示すように、パチンコ遊技機１には、遊技ホールに取付けられる外枠に開閉枠２が開閉自在に装着され、開閉枠２に開閉扉３が開閉自在に装着されている。開閉枠２には遊技盤４が装着され、その遊技盤４の前面側に遊技領域５が形成されている。開閉扉３には窓３ａが形成され、その窓３ａに透明板３ｂが装着され、その透明板３ｂにより遊技領域５の前側が覆われている。
【００３０】
開閉扉３の窓３ａの下側に、遊技球を貯留する貯留皿６と、遊技者が操作する発射ハンドル７が装着されている。発射ハンドル７が回動操作されると、貯留皿６から発射位置に導入された遊技球が発射され、ここで、貯留皿６に複数の遊技球が存在する場合には、複数の遊技球が約０．６秒間隔で連続発射される。発射された遊技球は、ガイドレール８で案内されて遊技領域５の上部に投入される。
【００３１】
図２、図３に示すように、遊技盤４には、遊技領域５に、多数の障害釘１０、始動入賞口装置１１、ゲート１２、大入賞口装置１３、複数の普通入賞口１４、画像表示器１６、センタ役物１７が装着され、遊技領域５外に遊技表示盤１８が装着され、遊技盤４の裏面側に制御装置２０が装着されている。
【００３２】
始動入賞口装置１１は、センタ役物１７の下側に配置され、所謂電チューを含む構成で、上始動入賞口１１ａ、下始動入賞口１１ｂ、下始動入賞口１１ｂを開閉する開閉部材１１ｃ、始動入賞口１１ａ，１１ｂに入賞した遊技球を検出する始動口ＳＷ１１ｄ、開閉部材１１ｃを開閉駆動する電チューソレノイド１１ｅを有する。開閉部材１１ｃは、左右対称の２つの短い羽根部材が盤面直角方向の軸回りに動作するように構成され、閉塞位置で下始動入賞口１１ｂへの遊技球の入賞を不可能にし、開放位置で下始動入賞口１１ｂへの遊技球の入賞を可能にする。図２の開閉部材１１ｃは閉塞位置にある。
【００３３】
ゲート１２はセンタ役物１７の左側に配置され、このゲート１２を通過した遊技球を検出するゲートＳＷ１２ａが付設されている。ゲート１２を遊技球が通過することを契機に行われる抽選により当選した場合に、始動入賞口装置１１が作動して、通常は閉塞の下始動入賞口１１ｂが開閉するように開閉部材１１ｃを動作させる。
【００３４】
大入賞口装置１３は、始動入賞口装置１１の下側に配置され、大入賞口１３ａ、大入賞口１３ａを開閉する開閉部材１３ｂ、大入賞口１３ａに入賞した遊技球を検出する大入賞口ＳＷ１３ｃ、開閉部材１３ｂを開閉駆動する大入賞口ソレノイド１３ｄを有する。開閉部材１３ｂは、盤面平行方向の軸回りに動作するように構成され、閉塞位置で大入賞口１３ａへの遊技球の入賞を不可能にし、開放位置で大入賞口１３ａへの遊技球の入賞を可能にする。図２の開閉部材１３ｂは開放位置にある。
【００３５】
始動入賞口１１ａ，１１ｂへの遊技球の入賞を契機に行われる大当り抽選で当選した場合に、大当り遊技が発生し、大入賞口装置１３が作動して、通常は閉塞の大入賞口１３ａが開閉するように開閉部材１３ｂを動作させる。また、前記同契機に行われる小当り抽選で当選した場合に、小当り遊技が発生し、この場合も、大入賞口装置１３が作動して、通常は閉塞の大入賞口１３ａが開閉するように開閉部材１３ｂを動作させる。各普通入賞口１４には入賞した遊技球を検出する普通入賞口ＳＷ１４ａが付設されている。
【００３６】
画像表示器１６は、液晶ディスプレイからなり、センタ役物１７に大きく設けられている。この画像表示器１６には、始動入賞口１１ａ，１１ｂへの遊技球の入賞を契機に大当り抽選演出が表示され、その大当り抽選演出では、演出図柄を用いて図柄変動や大当り抽選の結果が表示され、また、大当り遊技中には大当り演出が表示される。
【００３７】
遊技表示盤１８は、遊技領域５の下部右側に前方へ向けて配置され、７セグメントの特別図柄表示器１８ａ、○×で表示する普通図柄表示器１８ｂ、特別図柄保留表示器１８ｃ、普通図柄保留表示器１８ｄを備え、これら表示器１８ａ〜１８ｄはＬＥＤを発光源としている。特別図柄表示器１８ａでは、始動入賞口１１ａ，１１ｂへの遊技球の入賞を契機に行われる抽選の結果が変動表示後に表示され、普通図柄表示器１８ｂでは、ゲート１２を遊技球が通過することを契機に行われる抽選の結果が変動表示後に表示される。
【００３８】
始動入賞口１１ａ，１１ｂに入賞した遊技球の数であって、特別図柄表示器１８ａの変動に未だ供していない（後で抽選の結果が得られる）特別図柄の保留数が最大で４つまで保留され、特別図柄保留表示器１８ｃには、その特別図柄の保留数が表示される。同様に、ゲート１２を通過した遊技球の数であって、普通図柄表示器１８ｂの変動に未だ供していない（後で抽選の結果が得られる）普通図柄の保留数が最大で４つまで保留され、普通図柄保留表示器１８ｄには、その普通図柄の保留数が表示される。
【００３９】
発射ハンドル７を回動操作することで、発射され遊技領域５の上部に投入された遊技球は、複数の障害釘１０に当たって方向を変えながら落下して、入賞口１１ａ，１１ｂ，１３ａ，１４の何れかに入賞した場合、そこから遊技領域５外へ排出され、入賞口１１ａ，１１ｂ，１３ａ，１４の何れにも入賞しなかった場合には、最終的に、遊技領域５の下端部に形成されたアウト口１９から遊技領域５外へ排出される。
【００４０】
図３に示すように、制御装置２０は、メイン制御装置２１とサブ制御装置２５とで構成されている。メイン制御装置２１は、メイン制御基板２２にＣＰＵとＲＯＭとＲＡＭを備えて構成され、サブ制御装置２５は、払出制御基板２６、演出制御基板２７、画像制御基板２８、ランプ制御基板２９を備え、この複数の制御基板２６〜２９は夫々ＣＰＵとＲＯＭとＲＡＭを備えて構成されている。
【００４１】
メイン制御基板２２が、始動口ＳＷ１１ｄ、ゲートＳＷ１２ａ、大入賞口ＳＷ１３ｃ、普通入賞口ＳＷ１４ａからの検出信号と、払出制御基板２６からの制御情報を受けて、電チューソレノイド１１ｅ、大入賞口ソレノイド１３ｄ、特別図柄表示器１８ａ、普通図柄表示器１８ｂ、特別図柄保留表示器１８ｃ、普通図柄保留表示器１８ｄを制御し、払出制御基板２６と演出制御基板２７に制御情報を出力する。
【００４２】
払出制御基板２６は、メイン制御基板２２からの制御情報を受けて、払出駆動モータ３０を制御し、入賞口１１ａ，１１ｂ，１３ａ，１４への遊技球の入賞１個について、入賞口１１ａ，１１ｂ，１３ａ，１４毎に設定された数の遊技球を貯留皿６に払い出し、メイン制御基板２２に制御情報を出力する。演出制御基板２７は、メイン制御基板２２からの制御情報と、演出ボタン３１からの操作信号を受けて、画像制御基板２８とランプ制御基板２９に制御情報を出力する。演出ボタン３１は貯留皿６に設けられている。
【００４３】
画像制御基板２８は、演出制御基板２７からの制御情報を受けて、画像表示器１６とスピーカ３２を制御し、演出制御基板２７に制御情報を出力する。ランプ制御基板２９は、演出制御基板２７からの制御情報を受けて、主に画像制御基板２８による制御に同期させて、枠ランプ３３と盤ランプ３４を制御する。スピーカ３２と枠ランプ３３は開閉扉３に設けられ、盤ランプ３４は遊技盤４に設けられている。
【００４４】
さて、図４に示すように、メイン制御装置２１では、メイン制御基板２２のコンピュータによって、図示の各種手段２１ａ〜２１ｉが構成され、演出制御装置３５では、演出制御基板２７（更には、画像制御基板２８、ランプ制御基板２９）のコンピュータによって、図示の各種手段３５ａ〜３５ｅが構成されている。
【００４５】
メイン制御装置２１においては、大当り抽選手段２１ａにより、始動入賞口１１ａ，１１ｂへの遊技球の入賞を契機に大当り抽選が行われ、この大当り抽選で当選した場合に、大当り遊技制御手段２１ｄにより、大当り遊技として大入賞口１３ａを複数ラウンドに亙って開閉させるように大入賞口装置１３が制御される。更に、大当り抽選で当選した場合、確変抽選手段２１ｅにより確変抽選が行われ、この確変抽選で当選した場合に、大当り抽選の当選確率が通常の低確率（１／３００）よりも高確率（１／３０）に設定される。
【００４６】
ここで、大当り開閉パターン記憶手段２１ｂには、図５に示すように、大入賞口１３ａを一律複数ラウンド（１５Ｒ）に亙って開閉する複数種類（２種類）の大当り開閉パターン（大当り基本開閉パターンＡ１と大当り突確開閉パターンＡ２）であって、大入賞口１３ａへの遊技球の入賞を実質見込めない大当り突確開閉パターンＡ２を含む複数種類の大当り開閉パターン（大当り開閉パターンデータ）が記憶されている。
【００４７】
大当り開閉パターンＡ１，Ａ２の各ラウンドは、大入賞口１３ａへの規定数（１０個）の遊技球の入賞又は規定時間の経過により終了するように構成され、大当り基本開閉パターンＡ１の各ラウンドの規定時間は約３０秒に設定され、大当り突確開閉パターンＡ２の各ラウンドの規定時間は約０．１秒に設定され、大当り開閉パターンＡ１，Ａ２のラウンド間のインターバル時間は何れも約２秒に設定されている。
【００４８】
大当り開閉パターン選択手段２１ｃにより、大当り抽選で当選した場合に、大入賞口装置１３に実行させる大当り開閉パターンが、大当り開閉パターン記憶手段２１ｂの中（大当り開閉パターンＡ１，Ａ２）から択一的に選択されるとともに、確変抽選で当選した場合には大当り突確開閉パターンＡ２を選択可能になる。そして、大当り遊技制御手段２１ｄにより、大当り開閉パターン選択手段２１ｃで選択された大当り開閉パターンで大入賞口１３ａを開閉させるように大入賞口装置１３が制御される。
【００４９】
また、メイン制御装置２１においては、小当り抽選手段２１ｆにより、始動入賞口１１ａ，１１ｂへの遊技球の入賞を契機に小当り抽選が行われ、この小当り抽選で当選した場合に、小当り遊技制御手段２１ｉにより、小当り遊技として大入賞口１３ａを複数回に亙って開閉させるように大入賞口装置１３が制御される。尚、大当り抽選での当選と小当り抽選での当選とが同時成立することはない。
【００５０】
ここで、小当り開閉パターン記憶手段２１ｇには、図６に示すように、大入賞口１３ａの開閉数（５回，１０回，１５回）が異なる複数種類（３種類）の小当り開閉パターンＢ１，Ｂ２，Ｂ３（小当り開閉パターンデータ）が記憶されている。
【００５１】
小当り開閉パターンＢ１は、大当り突確開閉パターンＡ２の１Ｒから５Ｒまでの開閉パターンと同等の開閉パターンであり、小当り開閉パターンＢ２は、大当り突確開閉パターンＡ２の１Ｒから１０Ｒまでの開閉パターンと同等の開閉パターンであり、小当り開閉パターンＢ３は、大当り突確開閉パターンＡ２の１Ｒから１５Ｒまでの開閉パターンと同等の開閉パターンである。故に、小当り開閉パターンＢ１，Ｂ２，Ｂ３の大入賞口１３ａの各開放時間は何れも約０．１秒に設定され、小当り開閉パターンＢ１，Ｂ２，Ｂ３の大入賞口１３ａの開放間のインターバル時間は何れも約２秒に設定されている。
【００５２】
小当り開閉パターン選択手段２１ｈにより、小当り抽選で当選した場合に、大入賞口装置１３に実行させる小当り開閉パターンが小当り開閉パターン記憶手段２１ｇの中（小当り開閉パターンＢ１，Ｂ２，Ｂ３）から択一的に選択される。そして、小当り遊技制御手段２１ｉにより、小当り開閉パターン選択手段２１ｈで選択された小当り開閉パターンで、つまり、大当り突確開閉パターンＡ２の一部又は全部の開閉パターンと同等の小当り開閉パターンで大入賞口１３ａを開閉させるように大入賞口装置１３が制御される。
【００５３】
次に、演出制御装置３５においては、大入賞口装置１３が大当り突確開閉パターンＡ２と小当り開閉パターンＢ１，Ｂ２，Ｂ３の各々を実行中に、演出制御手段３５ｅにより、画像表示器１６とスピーカ３２を有する演出手段３６を介して所定の予告演出が実行され、この場合、演出ボタン３１（操作ボタン３１）から受ける操作信号に基づいて、予告演出の内容の一部が変更可能に構成され、また、実行中の開閉パターンに対応する演出結果が出力されるように演出手段３６が制御される。
【００５４】
演出制御手段３５ｅにより、大入賞口装置１３が大当り突確開閉パターンＡ２を実行中に、その大当り突確開閉パターンＡ２の最終ラウンド（１５Ｒ）で演出結果が出力され、大入賞口装置１３が小当り開閉パターンＢ１，Ｂ２，Ｂ３を実行中に、その小当り開閉パターンＢ１，Ｂ２，Ｂ３の開閉数（５回、１０回、１５回）に応じた予告演出が実行され、その小当り開閉パターンＢ１，Ｂ２，Ｂ３の最終開放時に演出結果が出力される。
【００５５】
演出制御手段３５ｅにより、予告演出として勝敗又は優劣が決まるゲームが実行され、演出結果として実行中の開閉パターンに対応する当りの種類（大当り（突確大当り）、小当り）又はそれを示唆するゲーム結果が出力される。
【００５６】
演出制御装置３５について具体的に説明すると、この演出制御装置３５において、予告演出記憶手段３５ａには、図７に示すように、複数種類（３種類）の予告演出Ｃ１，Ｃ２，Ｃ３（予告演出データ）が記憶されている。これら予告演出Ｃ１，Ｃ２，Ｃ３は、夫々、勝敗が決まるゲームであり、大入賞口装置１３が小当り開閉パターンＢ１を実行する時間（例えば、約１０秒）内に実行可能なものである。
【００５７】
小当り開閉パターンＢ１の場合、小当り遊技開始時から大入賞口１３ａが５回開閉するまでの間に、予告演出Ｃ１，Ｃ２，Ｃ３の何れかが実行され、更に、小当り開閉パターンＢ２の場合、大入賞口１３ａが５回開閉後から１０回開閉するまでの間に、予告演出Ｃ１，Ｃ２，Ｃ３の何れかが実行されて合計２回の予告演出が行われ、更に、小当り開閉パターンＢ３の場合、大入賞口１３ａが１０回開閉後から１５回開閉するまでの間に、予告演出Ｃ１，Ｃ２，Ｃ３の何れかが実行されて合計３回の予告演出が行われる。
【００５８】
大当り突確開閉パターンＡ２の場合、大当り遊技開始時から５Ｒ終了するまでの間と、５Ｒ終了後から１０Ｒ終了するまでの間と、１０Ｒ終了後から１５Ｒ終了するまでの間に、夫々、予告演出Ｃ１，Ｃ２，Ｃ３の何れかが実行されて合計３回の予告演出が行われ、全体的に、小当り開閉パターンＢ３と同等の予告演出が行われる。
【００５９】
予告演出選択手段３５ｂにより、演出手段３６に実行させる予告演出が、実行される開閉パターン（大当り突確開閉パターンＡ２、小当り開閉パターンＢ１，Ｂ２，Ｂ３）に基づいて、予告演出記憶手段３５ａの中（予告演出Ｃ１，Ｃ２，Ｃ３）から択一的に１又は複数選択される。そして、演出制御手段３５ｅにより、予告演出選択手段３５ｂで選択された予告演出を実行させるように演出制御３６が制御される。
【００６０】
予告演出Ｃ１，Ｃ２，Ｃ３については、主に画像表示器１６に表示させ適宜スピーカ３２から効果音を発生させて実行し、例えば、図８−１に示すように、予告演出Ｃ１では、裏返ったカードの色を当てるカードゲームが行われ、図８−２に示すように、予告演出Ｃ２では、裏返ったカードの柄を当てるカードゲームが行われ、図８−３に示すように、予告演出Ｃ３では、裏返ったカードの種類を当てるカードゲームが行われる。
【００６１】
遊技者は、演出ボタン３１を操作して、カードゲームに参加して、カードの色、柄、種類を当てるべく選択することができる。そのために、図９に示すように、演出ボタン３１は、上下左右の操作部３１ａ〜３１ｄを有し、画像表示器１６には、カードの色、柄、種類の選択肢が、操作部３１ａ〜３１ｄに対応付けて表示される。
【００６２】
演出制御手段３５ｅでは、遊技者がカードの色、柄、種類を選択後、カードが表に返され、大当り突確開閉パターンＡ２と小当り開閉パターンＢ１，Ｂ２，Ｂ３で行われるカードゲームのうち、小当り開閉パターンＢ１，Ｂ２，Ｂ３の最後のカードゲームでは、表に返されたカードの色、柄、種類が、遊技者が選択したものと一致せずに外れとなるようにカードが表示され、それ以外のカードゲームでは、表に返されたカードの色、柄、種類が、遊技者が選択したものと一致して当たりとなるようにカードが表示される。つまり、大当り突確開閉パターンＡ２の場合、１、２回目のカードゲームに勝ち、更に、最後のカードゲームに勝つことで勝利となり、小当り開閉パターンＢ１，Ｂ２，Ｂ３の場合、小当り開閉パターンＢ２の場合には１回目のカードゲームには勝つが、また、小当り開閉パターンＢ３の場合には１、２回目のカードゲームには勝つが、何れも、最後のカードゲームに負けることで敗北となる。
【００６３】
また、演出制御装置３５においては、演出結果記憶手段３５ｃに、図１０に示すように、複数種類（２種類）の演出結果Ｄ１，Ｄ２（演出結果データ）が記憶されている。これら演出結果Ｄ１，Ｄ２は、夫々、実行中の開閉パターンに対応する当りの種類を示唆するゲーム結果であり、大当り突確開閉パターンＡ２と小当り開閉パターンＢ１，Ｂ２，Ｂ３で行われる最後のカードゲームの終了時に出力されるものである。
【００６４】
演出結果Ｄ１，Ｄ２については、主に画像表示器１６に表示させ適宜スピーカ３２から効果音を発生させて出力し、例えば、図１１−１に示すように、演出結果Ｄ１では、「Ｗｉｎ！！」の文字例が画像表示器１６に表示され、図１１−２に示すように、演出結果Ｄ２では、「Ｌｏｓｔ・・・」の文字例が画像表示器１６に表示される。
【００６５】
演出結果選択手段３５ｄにより、大当り突確開閉パターンＡ２が実行される場合には、演出結果Ｄ１が選択され、小当り開閉パターンＢ１，Ｂ２，Ｂ３が実行される場合には、演出結果Ｄ２が選択される。そして、演出制御手段３５ｅにより、演出結果選択手段３５ｄで選択された演出結果を出力させるように演出制御３６が制御される。
【００６６】
次に、メイン制御装置２１とサブ制御装置２５が前記の処理・制御機能を達成するために実行する処理・制御について、フローチャートに基づいて説明する。
【００６７】
先ず、図１２に示すように、メイン制御装置２１のメイン処理では、乱数更新処理（Ｓ１）、始動口ＳＷ処理（Ｓ２）、ゲートＳＷ処理（Ｓ３）、特別図柄処理（Ｓ４）、普通図柄処理（Ｓ５）、大入賞口処理（Ｓ６）、電チュー処理（Ｓ７）、賞球処理（Ｓ８）、出力処理（Ｓ９）が順次実行され、その後、Ｓ１０の初期値乱数の更新とＳ１１の変動パターン乱数の更新が繰り返し実行され、Ｓ１〜Ｓ９の処理については微小時間間隔毎の割込み処理にて実行される。
【００６８】
図１３に示すように、Ｓ２の始動口ＳＷ処理では、始動口ＳＷ１１ｄがＯＮになった場合（Ｓ２０；Yes ）、特別図柄の保留数Ｕが４未満の場合に（Ｓ２１；Yes ）、保留数ＵがＵ＋１にインクリメントされ（Ｓ２２）、大当り乱数、大当り図柄乱数、リーチ乱数、変動パターン乱数が取得格納され（Ｓ２３）、リターンする。前記各乱数はＳ１の乱数更新処理において所定範囲内において逐次更新され、Ｓ２３では、始動口ＳＷ１１ｄがＯＮになった時に発生している乱数が取得格納される。
【００６９】
図１４に示すように、Ｓ４の特別図柄処理では、大当り中でない場合（Ｓ３０；No）、特別図柄が変動中でない場合に（Ｓ３１；No）、更に、特別図柄の保留数Ｕが１以上の場合に（Ｓ３２；Yes ）、保留数ＵがＵ−１にディクリメントされ（Ｓ３３）、大当り小当り判定処理（Ｓ３４）が実行される。
【００７０】
図１５に示すように、Ｓ３４の大当り小当り判定処理では、Ｓ２３で取得格納された最も古い大当り乱数と図２０に示す大当り乱数判定テーブルと基づいて、大当り乱数判定が行われる（Ｓ５０）。そこで、大当り乱数が大当り特定乱数値と一致して、大当りの場合（Ｓ５１；Yes ）、Ｓ２３で取得格納された最も古い大当り図柄乱数と図２１に示す大当り図柄乱数判定テーブルと基づいて、大当り図柄乱数判定が行われる（Ｓ５２）。
【００７１】
そこで、大当り図柄乱数が確変図柄Ａ特定乱数値と一致した場合（Ｓ５３；Yes ）、確変図柄Ａがセットされ（Ｓ５４）、確変図柄Ｂ特定乱数値と一致した場合（Ｓ５３；No、Ｓ５５；Yes ）、確変図柄Ｂがセットされ（Ｓ５６）、通常図柄特定乱数値と一致した場合（Ｓ５５；No）、大当り図柄として通常図柄がセットされ（Ｓ５７）、リターンする。
【００７２】
大当り図柄として通常図柄が選択されると、当該大当り遊技後から次回大当り遊技開始時までの間、通常遊技状態になって、大当り抽選の抽選確率が所定の低確率（１／３００）に設定され、大当り図柄として確変図柄Ａ又は確変図柄Ｂが選択されると、当該大当り遊技後から次回大当り遊技開始時までの間、確変遊技状態になって、大当り抽選の抽選確率が低確率よりも高確率（１／３０）に設定される。
【００７３】
一方、Ｓ５１；Noの場合、大当り乱数が小当り特定乱数値と一致して、小当りの場合（Ｓ５８；Yes ）、更に、小当り図柄Ａ特定乱数値と一致した場合（Ｓ５９；Yes ）、小当り図柄Ａがセットされ（Ｓ６０）、小当り図柄Ｂ特定乱数値と一致した場合（Ｓ５９；No、Ｓ６１；Yes ）、小当り図柄Ｂがセットされ（Ｓ６０）、小当り図柄Ｃ特定乱数値と一致した場合（Ｓ６１；No）、小当り図柄Ｃがセットされ（Ｓ６３）、リターンする。Ｓ５８；Noの場合、ハズレ図柄がセットされ（Ｓ６４）、リターンする。
【００７４】
図１４に示すように、Ｓ３４の大当り小当り判定処理の後、変動パターン選択処理（Ｓ３５）が実行されて、Ｓ２３で取得格納された大当り乱数、大当り図柄乱数、リーチ乱数、変動パターン乱数等に基づいて変動パターンが選択され、その変動パターンコマンドがセットされ（Ｓ３６）、特別図柄表示器１８ａで特別図柄の変動が開始され（Ｓ３７）、その変動時間の計測が開始され（Ｓ３８）、リターンする。尚、Ｓ３６でセットされたコマンド、また、後の説明でセットされるコマンドは、図１２のＳ９の出力処理において、サブ制御装置２５に出力される。
【００７５】
一方、Ｓ３１；Yes 、つまり、特別図柄が変動中の場合、Ｓ３８から計測開始された変動時間が所定時間に達して、変動時間終了の場合には（Ｓ３９；Yes ）、変動停止コマンドがセットされ（Ｓ４０）、特別図柄表示器１８ａで特別図柄が変動停止されて（Ｓ４１）、図１５のＳ５４、Ｓ５６、Ｓ５７、Ｓ６０、Ｓ６２、Ｓ６３、Ｓ６４でセットされた図柄が抽選結果として表示され、変動時間がリセットされ（Ｓ４２）、停止中処理（Ｓ４３）が実行されて、リターンする。
【００７６】
図１６に示すように、Ｓ４３の停止中処理では、大当りの場合（Ｓ７０；Yes ）、大当り開始コマンドがセットされて（Ｓ７１）、大当りが開始され（Ｓ７２）、小当りの場合（Ｓ７０；No、Ｓ７３；Yes ）の場合、小当り開始コマンドがセットされ（Ｓ７４）、小当りが開始され（Ｓ７５）、リターンする。
【００７７】
図１７に示すように、Ｓ６の大入賞口処理では、大当り中の場合に（Ｓ８０；Yes ）、その大当りの最初に大入賞口１３ａが開放する前のオープニング中の場合（Ｓ８１；Yes ）、更に、そのオープニング時間が経過した場合（Ｓ８２；Yes ）、Ｓ８３へ移行する。Ｓ８２；Noの場合、つまり、オープニング時間が経過していない場合には、リターンする。一方、Ｓ８１；No、つまり、オープニング中でない場合、図１８に示すように、大入賞口１３ａが開放中でない場合に（Ｓ９６；No）、大当りの最後に大入賞口１３ａが閉塞した後のエンディング中でない場合（Ｓ９７；No）、更に、ラウンド間のインターバル時間が経過した場合（Ｓ９８；Yes ）、Ｓ８３へ移行する。
【００７８】
図１７に示すように、Ｓ８３では、ＲがＲ＋１にインクリメントされる。尚、このＲは大当り開始時には０にリセットされている。次に、図１５のＳ５４，Ｓ５６，Ｓ５７でセットされた大当り図柄に応じて選択された大当り開閉パターンについて、メイン制御装置２１のＲＯＭ等の記憶情報から、その規定時間が取得され（Ｓ８４）、大入賞口装置１３が作動して、大入賞口１３ａが開放され（Ｓ８５）、Ｓ８６へ移行する。Ｓ８４の規定時間について、大当り基本開閉パターンＡ１の場合には約３０秒が取得され、大当り突確開閉パターンＡ２の場合には約０．１秒が取得される。
【００７９】
次に、Ｓ８６において、大入賞口１３ａの開放時から、Ｓ８４で取得された規定時間経過した否か判定され、Ｓ８６；Noの場合、Ｓ８７において、このＲで入賞した遊技球数Ｃが規定入賞数の９個であるか否か判定され、Ｓ８７；Noの場合、リターンする。Ｓ８６とＳ８７の何れかが肯定判定された場合（Ｓ８６；Yes 又はＳ８７；Yes ）、開放している大入賞口１３ａが閉塞される（Ｓ８８）。
【００８０】
次に、現在のＲ（Ｓ８３で更新されたＲ）が最大Ｒ（１５Ｒ）であるか否か判定され（Ｓ８９）、Ｓ８９；Noの場合、リターンし、Ｓ８９；Yes の場合、Ｒが０にリセットされ（Ｓ９０）、エンディングが開始され（Ｓ９１）、Ｓ９２へ移行する。一方、エンディング中の場合（Ｓ８１；No、図１８のＳ９６；No、図１８のＳ９７；Yes ）にも、Ｓ９２へ移行する。Ｓ９２では、エンディング時間が経過した否か判定され、Ｓ９２；Noの場合、リターンし、Ｓ９２；Yes の場合、大当りが終了して（Ｓ９３）、リターンする。一方、Ｓ８０；Noの場合、小当り中でない場合（Ｓ９４；No）、リターンし、小当り中の場合（Ｓ９４；Yes ）、小当り処理（Ｓ９５）が実行され、リターンする。
【００８１】
図１９に示すように、Ｓ９５の小当り処理では、図１７の大入賞口装置と類似の処理が実行される。図１７との変更点のみ説明すると、Ｓ１００では小当り中か否か判定され、Ｓ１００；Noの場合、リターンする。Ｓ１０３では、ＱがＱ＋１にインクリメントされる。尚、このＱは小当り開始時には０にリセットされている。
【００８２】
Ｓ１０４では、図１５のＳ６０，Ｓ６２，Ｓ６３でセットされた小当り図柄に応じて選択された小当り開閉パターンについて、メイン制御装置２１のＲＯＭ等の記憶情報から、その開放回数Ｑと開放時間が取得される。Ｓ１０４の開放回数Ｑについて、小当り開閉パターンＢ１の場合には５回が、小当り開閉パターンＢ２の場合には１０回が、小当り開閉パターンＢ３の場合には１５回が取得される。また、Ｓ１０４の開放時間について、小当り開閉パターンＢ１，Ｂ２，Ｂ３の何れの場合にも約０．１秒が取得される。
【００８３】
Ｓ１０６では、大入賞口１３ａの開放時から、Ｓ１０４で取得された開放時間経過した否か判定され、Ｓ１０９では、現在のＱ（Ｓ１０３で更新されたＱ）が最大Ｑ（５回、１０回、１５回）であるか否か判定され、Ｓ１１０では、Ｑが０にリセットされ、Ｓ１１３では、小当りが終了する。
【００８４】
次に、図２２に示すように、サブ制御装置２５の演出処理では、先ず、メイン制御装置２１から大当り開始コマンド又は小当り開始コマンドを受信した否か判定され（Ｓ２００）、Ｓ２００；Yes の場合、開閉パターンデータ（大当り基本開閉パターンＡ１又は大当り突確開閉パターンＡ２又は小当り開閉パターンＢ１，Ｂ２，Ｂ３の何れか）が取得される（Ｓ２０１）。この開閉パターンデータについては、大当り開始コマンドや小当り開始コマンドに情報を入れ込み、そのコマンドから情報を取得してもよいし、メイン制御装置２１から受信する他のコマンドから情報を取得するようにしてもよい。
【００８５】
次に、Ｓ２０１で取得した開閉パターンデータに基づいて、開閉パターンの種類が判定されて、大当り基本開閉パターンＡ１の場合（Ｓ２０２；Yes ）、大当り基本演出処理（Ｓ２１１）が実行され、リターンする。Ｓ２１１の大当り基本演出処理では、従来より行われている大当り中の演出が行われ、その詳細説明は省略する。また、大当り突確開閉パターンＡ２、小当り開閉パターンＢ１，Ｂ２，Ｂ３の場合（Ｓ２０２；No）、予告演出が選択され（Ｓ２０３）、続いて、演出結果が選択される（Ｓ２０４）。
【００８６】
ここで、Ｓ２０３では、大当り突確開閉パターンＡ２と小当り開閉パターンＢ３の場合には、３回分の予告演出が夫々予告演出Ｃ１，Ｃ２，Ｃ３の中から抽選により選択され、小当り開閉パターンＢ２の場合には、２回分の予告演出が夫々予告演出Ｃ１，Ｃ２，Ｃ３の中から抽選により選択され、小当り開閉パターンＢ１の場合には、１回分の予告演出が予告演出Ｃ１，Ｃ２，Ｃ３の中から抽選により選択される。また、Ｓ２０４では、大当り突確開閉パターンＡ２の場合、演出結果Ｄ１が選択され、小当り開閉パターンＢ１，Ｂ２，Ｂ３の場合、演出結果Ｄ２が選択される。
【００８７】
次に、大入賞口１３ａが開放したか否か判定され（Ｓ２０５）、Ｓ２０５；Yes の場合、その大入賞口１３ａの開放が、１Ｒ（１回）目又は６Ｒ（６回）目又は１１Ｒ（１１回）目か否か判定される（Ｓ２０６）。Ｓ２０５；No、Ｓ２０６；Noの場合は、Ｓ２０５へリターンする。Ｓ２０６；Yes の場合、Ｓ２０３で選択された予告演出が実行され（Ｓ２０７）、その予告演出は５Ｒ（５回）目又は１０Ｒ（１０回）目又は１５Ｒ（１５回）目の大入賞口１３ａの開放後迄行われる。
【００８８】
予告演出が終了か否か判定され（Ｓ２０８）、Ｓ２０８；Noの場合、Ｓ２０７へリターンするが、Ｓ２０８；Yes の場合、そこで、大入賞口１３ａの開放が最終Ｒ（最終開放）か否か判定され（Ｓ２０９）、Ｓ２０９；Noの場合は、Ｓ２０５へリターンする。こうして、大当り突確開閉パターンＡ２と小当り開閉パターンＢ３の場合には、Ｓ２０５〜Ｓ２０９が３回繰り返し実行されて予告演出が３回行われ、小当り開閉パターンＢ２の場合には、Ｓ２０５〜Ｓ２０９が２回繰り返し実行されて予告演出が２回行われ、小当り開閉パターンＢ１の場合には、Ｓ２０５〜Ｓ２０９が１回実行されて予告演出が１回行われる。そして、Ｓ２０９；Yes の場合、つまり、大入賞口１３ａの開放が最終Ｒ（最終開放）の場合、Ｓ２０４で選択された演出結果が出力され（Ｓ２１０）、リターンする。
【００８９】
以上説明したパチンコ遊技機１によれば次の効果を奏する。
メイン制御装置２１は、大入賞口１３ａを一律複数ラウンドに亙って開閉する複数種類の大当り開閉パターンＡ１，Ａ２であって、大入賞口１３ａへの遊技球の入賞を実質見込めない大当り突確開閉パターンＡ２を含む複数種類の大当り開閉パターンＡ１，Ａ２を記憶した大当り開閉パターン記憶手段２１ｂと、大当り抽選で当選した場合に、大入賞口装置１３に実行させる大当り開閉パターンを、大当り開閉パターン記憶手段２１ｂの中から択一的に選択するとともに、確変抽選で当選した場合には大当り突確開閉パターンＡ２を選択可能な大当り開閉パターン選択手段２１ｃとを備えたので、大当り抽選で当選した場合、一律複数ラウンドに亙って開閉する大当り開閉パターンＡ１，Ａ２が実行されるので、その大当りラウンド数をＬＥＤ等で表示する必要がなくなる。
【００９０】
そして、メイン制御装置２１は、小当り抽選で当選した場合に、大当り突確開閉パターンＡ２の一部又は全部の開閉パターンと同等の小当り開閉パターンＢ１，Ｂ２，Ｂ３で大入賞口１３ａを開閉させるように大入賞口装置１３を制御するので、大当り突確開放パターンＡ２と小当り開閉パターンＢ１，Ｂ２，Ｂ３の何れかが実行された場合に、その実行当初から、それが大当りに基づくものか或いは小当りに基づくものか、つまり、大当り抽選（確変抽選）に当選したか否かを、遊技者が開放パターンを見て判別しにくくなる。
【００９１】
そこで、演出制御装置３５が、大入賞口装置１３が大当り突確開閉パターンＡ２と小当り開閉パターンＢ１，Ｂ２，Ｂ３の各々を実行中に、画像表示器１６を有する演出手段３６を介して所定の予告演出を実行させ、実行中の開閉パターンに対応する演出結果を出力するように演出手段３６を制御するので、大当り抽選に関する演出（例えば、当りの種類を示唆する大当り抽選演出）を大入賞口１３ａの開閉と共に行って、面白味を高め遊技性を高めることができる。
【００９２】
遊技者が操作可能な演出ボタン３１を備え、演出制御装置３５は、演出ボタン３１から受ける操作信号に基づいて、予告演出の内容の一部を変更可能に構成したので、遊技者が予告演出の実行中に演出ボタン３１を操作して、その予告演出の一部を変更することができるので、遊技者の遊技参加感を高めることができる。
【００９３】
メイン制御装置２１は、大入賞口１３ａの開閉数が異なる複数種類の小当り開閉パターンＢ１，Ｂ２，Ｂ３を記憶した小当り開閉パターン記憶手段２１ｇと、小当り抽選で当選した場合に、大入賞口装置１３に実行させる小当り開閉パターンを小当り開閉パターン記憶手段２１ｇの中から択一的に選択する小当り開閉パターン選択手段２１ｈとを備え、演出制御装置３５は、大入賞口装置１３が小当り開閉パターンを実行中に、その小当り開閉パターンの開閉数に応じた予告演出を実行させるので、小当り遊技として大入賞口１３ａの多様な開閉パターンを実現するとともに、大当り突確開閉パターンＡ２と小当り開閉パターンＢ１，Ｂ２，Ｂ３の各々の実行中に、多様な予告演出を実現することができる。
【００９４】
演出制御装置３５は、大入賞口装置１３が大当り突確開閉パターンＡ２を実行中に、その大当り突確開閉パターンＡ２の最終ラウンドで演出結果を出力し、大入賞口装置１３が小当り開閉パターンＢ１，Ｂ２，Ｂ３を実行中に、その小当り開閉パターンＢ１，Ｂ２，Ｂ３の最終開放時に演出結果を出力するので、予告演出の演出効果を十分に高め、予告演出の終了近くで演出結果を出力して、演出結果の報知効果も十分に高めることができる。
【００９５】
演出制御装置３５は、予告演出として勝敗又は優劣が決まるゲームを実行させ、演出結果として実行中の開閉パターンに対応する当りの種類又はそれを示唆するゲーム結果を出力するので、遊技者の興趣を高めることができる。
【００９６】
大当り開閉パターンの各ラウンドは、大入賞口１３ａへの規定数の遊技球の入賞又は規定時間の経過により終了するように構成され、一律複数ラウンドが１０ラウンド以上に設定され、大当り突確開閉パターンＡ２の各ラウンドの規定時間が０．２秒以下に設定されたので、大当り突確開閉パターンＡ２以外の大当り基本開閉パターンＡ１が実行された場合の出球を多く確保し、大当り突確開閉パターンＡ２、小当り開閉パターンＢ１，Ｂ２，Ｂ３が実行され場合の予告演出を大入賞口１３ａの開閉と共に長く行うことができる。
【実施例２】
【００９７】
次に、実施例２について説明するが、実施例２は実施例１を部分的に変更したものであり、実施例１と相違する点にのみ説明する。
【００９８】
メイン制御装置２１において、大当り開閉パターン記憶手段２１ｂには、図２３に示すように、大入賞口１３ａを一律複数ラウンド（１５Ｒ）に亙って開閉する複数種類（３種類）の大当り開閉パターン（大当り基本開閉パターンＡ１と大当り突確開閉パターンＡ２と大当り突通開閉パターンＡ３）であって、大入賞口１３ａへの遊技球の入賞を実質見込めない大当り突確開閉パターンＡ２及び大当り突通開閉パターンＡ３を含む複数種類の大当り開閉パターン（大当り開閉パターンデータ）が記憶されている。大当り突通開閉パターンＡ３は大当り突確開閉パターンＡ２と同等の開閉パターンである。
【００９９】
大当り開閉パターン選択手段２１ｃにより、大当り抽選で当選した場合に、大入賞口装置１３に実行させる大当り開閉パターンが、大当り開閉パターン記憶手段２１ｂの中（大当り開閉パターンＡ１，Ａ２，Ａ３）から択一的に選択されるとともに、確変抽選で当選した場合には大当り突確開閉パターンＡ２を選択可能で確変抽選で落選した場合には大当り突通開閉パターンＡ３を選択可能になる。そして、大当り遊技制御手段２１ｄにより、大当り開閉パターン選択手段２１ｃで選択された大当り開閉パターンで大入賞口１３ａを開閉させるように大入賞口装置１３が制御される。
【０１００】
演出制御装置３５においては、大入賞口装置１３が大当り突確開閉パターンＡ２と大当り突通開閉パターンＡ３と小当り開閉パターンＢ１，Ｂ２，Ｂ３の各々を実行中に、演出制御手段３５ｅにより、画像表示器１６とスピーカ３２を有する演出手段３６を介して所定の予告演出が実行され、この場合、演出ボタン３１（操作ボタン３１）から受ける操作信号に基づいて、予告演出の内容の一部が変更可能に構成され、また、実行中の開閉パターンに対応する演出結果が出力されるように演出手段３６が制御される。
【０１０１】
演出制御手段３５ｅにより、大入賞口装置１３が大当り突確開閉パターンＡ２と大当り突通開閉パターンＡ３を実行中に、その大当り突確開閉パターンＡ２と大当り突通開閉パターンＡ３の最終ラウンド（１５Ｒ）で演出結果が出力され、大入賞口装置１３が小当り開閉パターンＢ１，Ｂ２，Ｂ３を実行中に、その小当り開閉パターンＢ１，Ｂ２，Ｂ３の開閉数（５回、１０回、１５回）に応じた予告演出が実行され、その小当り開閉パターンＢ１，Ｂ２，Ｂ３の最終開放時に演出結果が出力される。
【０１０２】
このパチンコ遊技機１によれば、大当り抽選で当選した場合、一律複数ラウンドに亙って開閉する大当り開閉パターンＡ１，Ａ２，Ａ３が実行されるので、その大当りラウンド数をＬＥＤ等で表示する必要がなくなる。そして、大当り突確開放パターンＡ２と大当り突通開閉パターンＡ３と小当り開閉パターンＢ１，Ｂ２，Ｂ３の何れかが実行された場合に、その実行当初から、それが大当りに基づくものか或いは小当りに基づくものか、更に、大当りの場合に確変大当りに基づくものか、つまり、大当り抽選に当選したか否か、確変抽選に当選した否かを、遊技者が開放パターンを見て判別しにくくなる。
【０１０３】
そこで、演出制御装置３５が、大入賞口装置１３が大当り突確開閉パターンＡ２と大当り突通開閉パターンＡ３と小当り開閉パターンＢ１，Ｂ２，Ｂ３の各々を実行中に、画像表示器１６を有する演出手段３６を介して所定の予告演出を実行させ、実行中の開閉パターンに対応する演出結果を出力するように演出手段３６を制御するので、大当り抽選に関する演出（例えば、当りの種類を示唆する大当り抽選演出）を大入賞口１３ａの開閉と共に行って、面白味を高め遊技性を高めることができる。尚、小当り開閉パターンＢ１，Ｂ２，Ｂ３を省略してもよい。つまり、始動入賞口１１ａ，１１ｂへの遊技球の入賞を契機に小当り抽選は行われないようにして、小当り遊技が発生しないようにしてもよい。
【０１０４】
その他、本発明の趣旨を逸脱しない範囲において、前記開示事項以外の種々の変更を付加して実施可能である。そして、本発明は、始動入賞口と、大入賞口装置と、始動入賞口への遊技球の入賞を契機に行われる大当り抽選で当選した場合に、大当り遊技として大入賞口を複数ラウンドに亙って開閉させるように大入賞口装置を制御するとともに、更に確変抽選で当選した場合には大当り抽選の当選確率を通常の低確率よりも高確率に設定するメイン制御装置とを備えた種々のパチンコ遊技機への適用が可能である。
【図面の簡単な説明】
【０１０５】
【図１】実施例１のパチンコ遊技機の正面図である。
【図２】遊技盤の正面図である。
【図３】パチンコ遊技機の制御系のブロック図である。
【図４】制御装置の構成ブロック図である。
【図５】大当り開閉パターンを示すタイムチャートである。
【図６】小当り開閉パターンを示すタイムチャートである。
【図７】複数種類の予告演出を示す図である。
【図８−１】画像表示器に表示された予告演出Ｃ１である。
【図８−２】画像表示器に表示された予告演出Ｃ２である。
【図８−３】画像表示器に表示された予告演出Ｃ３である。
【図９】演出ボタンの平面図である。
【図１０】複数種類の演出結果を示す図である。
【図１１−１】画像表示器に表示された演出結果Ｄ１である。
【図１１−２】画像表示器に表示された演出結果Ｄ２である。
【図１２】メイン処理のフローチャートである。
【図１３】始動口ＳＷ処理のフローチャートである。
【図１４】特別図柄処理のフローチャートである。
【図１５】大当り判定処理のフローチャートである。
【図１６】停止中処理のフローチャートである。
【図１７】大入賞口処理のフローチャートである。
【図１８】大入賞口処理のフローチャートである。
【図１９】小当り処理のフローチャートである。
【図２０】大当り乱数判定テーブルである。
【図２１】大当り図柄乱数判定テーブルである。
【図２２】演出処理のフローチャートである。
【図２３】実施例２の大当り開閉パターンを示すタイムチャートである。
【符号の説明】
【０１０６】
１  パチンコ遊技機
４  遊技盤
１１ａ，１１ｂ  始動入賞口
１３  大入賞口装置
１３ａ  大入賞口
１６  画像表示器
２１  メイン制御装置
２１ｂ  大当り開閉パターン記憶手段
２１ｃ  大当り開閉パターン選択手段
２１ｇ  小当り開閉パターン記憶手段
２１ｈ  小当り開閉パターン選択手段
３１  演出ボタン
３５  演出制御装置
３６  演出手段
【図１】
2010142332.tif 000003
【図２】
2010142332.tif 000004
【図３】
2010142332.tif 000005
【図４】
2010142332.tif 000006
【図５】
2010142332.tif 000007
【図６】
2010142332.tif 000008
【図７】
2010142332.tif 000009
【図８−１】
2010142332.tif 000010
【図８−２】
2010142332.tif 000011
【図８−３】
2010142332.tif 000012
【図９】
2010142332.tif 000013
【図１０】
2010142332.tif 000014
【図１１−１】
2010142332.tif 000015
【図１１−２】
2010142332.tif 000016
【図１２】
2010142332.tif 000017
【図１３】
2010142332.tif 000018
【図１４】
2010142332.tif 000019
【図１５】
2010142332.tif 000020
【図１６】
2010142332.tif 000021
【図１７】
2010142332.tif 000022
【図１８】
2010142332.tif 000023
【図１９】
2010142332.tif 000024
【図２０】
2010142332.tif 000025
【図２１】
2010142332.tif 000026
【図２２】
2010142332.tif 000027
【図２３】
2010142332.tif 000028